(57)【要約】【課題】複数段のシャフト１１ｂと１１ｃを連結して構成され、この各段のシャフト１１ｂと１１ｃの連結は、テーパー状の凸部１４とこれを受ける凹部１５との嵌合によって行われる構造の携帯用歩行補助杖１１において、シャフトの連結部にガタが生じることのない高品質の携帯用歩行補助杖を提供する。【解決手段】シャフト連結時に凸部１４と凹部１５が嵌合した状態で、シャフト１１ｂと１１ｃの間に所要の隙間ａを有する構造とし、凸部１４と凹部１５が常に確実に嵌合されるようにする。【選択図】　図２
2004024701.tif 000002
【特許請求の範囲】
【請求項１】
複数段のシャフトを連結して構成され、上記各段のシャフトの連結は、テーパー状の凸部とこれを受ける凹部との嵌合によって行われる構造の携帯用歩行補助杖において、上記凸部と上記凹部が嵌合した状態で、上記各段のシャフト間に所要の隙間を有する構造としたことを特徴とする携帯用歩行補助杖。
【請求項２】
上記各段のシャフトの連結部の向き合う端縁に、Ｒまたは面取りを付したことを特徴とする請求項１に記載の携帯用歩行補助杖。
【発明の詳細な説明】
【０００１】
【発明の属する技術分野】
本発明は、歩行補助等に使用される携帯用歩行補助杖に関する。
【０００２】
【従来の技術】
先ず、図３に従来の携帯用歩行補助杖の一例を示す。
この携帯用歩行補助杖１は、複数段即ちこの例では５段のシャフト１ａ，１ｂ，１ｃ，１ｄ，１ｅを連結して１本の杖として使用するもので、１段目（最上段）のシャフト１ａの上端には、手で握るためのグリップ２が取り付けられ、また５段目（最下段）のシャフト１ｅの下端部には、例えばゴム製の石突部材３が取り付けられている。
【０００３】
この携帯用歩行補助杖１は、不使用時には各段のシャフト１ａ，１ｂ，１ｃ，１ｄ，１ｅを分割してコンパクトに折り畳み、これをハンドバッグ等に入れて手軽に持ち運べるようになっている。そして使用時には、再びシャフト１ａ，１ｂ，１ｃ，１ｄ，１ｅを連結することにより、これを１本の杖として使用することができるものである。
この携帯用歩行補助杖１の内部には、各段のシャフトの内空部を貫通して弾性紐材が内挿されており、これによって各段のシャフトが連結される構造となっている。
【０００４】
この携帯用歩行補助杖におけるシャフトの連結部の構造を図４に示す。
尚、ここでは連結部の一例として、２段目のシャフト１ｂと３段目のシャフト１ｃの連結部を図示してあるが、他の連結部もこれと同様に構成されるものである。
【０００５】
この構造では、テーパー状の連結凸部４とこれを受ける連結凹部５との嵌合によってシャフトの連結が行なわれる。即ちこの例では、３段目のシャフト１ｃの端部から突出されたテーパー状の連結凸部４を、２段目のシャフト１ｂの端部に設けられた逆テーパー形状の連結凹部５に挿入嵌合して連結する。
【０００６】
ここで連結凸部４と連結凹部５の嵌合状態の保持は、杖内部に配される弾性紐材６の力によって行なわれる。即ちこの携帯用歩行補助杖１では、各段のシャフトの内空部を貫通して弾性紐材６が内挿されており、この弾性紐材６の一端は１段目のシャフトの１ａ内部に係止され、他端は５段目のシャフト１ｅの内部に係止されている。
そしてシャフトの連結時には、この弾性紐材６の引張力によって連結凸部４と連結凹部５が互いに密着するように嵌合し、その嵌合状態が確実に維持されるものである。
【０００７】
【発明が解決しようとする課題】
上記の如き連結構造を有する従来の携帯用歩行補助杖では、連結凸部と連結凹部の加工精度の誤差等により、シャフトの連結部にガタが生じやすい問題がある。
このようにシャフトの連結部にガタがあると携帯用歩行補助杖は非常に使いにくく品質が低下し、ガタの程度によっては不良品となってしまう。
【０００８】
本発明は斯かる点に鑑みてなされたもので、シャフトの連結部にガタが生じることのない高品質の携帯用歩行補助杖を提供し、上記の課題を解決しようとするものである。
【０００９】
【課題を解決するための手段】
上記の課題を解決するために本発明は、複数段のシャフトを連結して構成され、この各段のシャフトの連結は、テーパー状の凸部とこれを受ける凹部との嵌合によって行われる構造の携帯用歩行補助杖において、凸部と凹部が嵌合した状態で、各段のシャフト間に所要の隙間を有する構造としたものである。
このような構造としたことにより本発明の携帯用歩行補助杖では、凸部と凹部が常に確実に嵌合するため、シャフトの連結部にはガタが生じることはない。
【００１０】
【発明の実施の形態】
以下、図面を参照しながら本発明の好適な実施例について詳細に説明する。
図１は、本発明による携帯用歩行補助杖の全体を示すものである。
この携帯用歩行補助杖１１は、前述した従来例と同様に、５段のシャフト１１ａ，１１ｂ，１１ｃ，１１ｄ，１１ｅを連結して１本の杖として使用するもので、１段目（最上段）のシャフト１１ａの上端には、手で握るためのグリップ１２が取り付けられ、また５段目（最下段）のシャフト１１ｅの下端部には、例えばゴム製の石突部材１３が取り付けられている。
【００１１】
ここで各段のシャフトは、例えば高力７００１のアルミニウムを材料とした厚さ０．８ｍｍ、外径１６ｍｍ程度のパイプ状体により形成される。各段のシャフトの長さは１６０〜２００ｍｍ程度で、ステッキ全体としては８００ｍｍ前後の長さになる。この携帯用歩行補助杖１１では、シャフトの材料に高力７００１のアルミニウムを使用したことにより、特に軽量で丈夫な耐久性に優れたステッキを提供できる。
【００１２】
またこの携帯用歩行補助杖１１では、１段目のシャフトと２段目のシャフトとの間に伸縮調節機構が設けられており、これによって杖の長さを調節できるようになっている。即ちこの携帯用歩行補助杖１１では、１段目のシャフト１１ａに対し２段目のシャフト１１ｂが入れ子状に摺動可能に嵌挿され、１段目のシャフト１１ａに設けられた調節穴１７に２段目のシャフト１１ｂ側に設けられたストッパー１８が弾性的に係合されるようになっている。調節穴１７は、シャフト１１ａの長手方向に沿って所定間隔で複数個（この例では６個）が設けられており、この調節穴１７の何れかにストッパー１８を選択的に係合させることによって杖全体の長さを伸縮調節するものである。
さらに１段目のシャフト１１ａの下端部には締めプラグ２０が取り付けられており、この締めプラグ２０を回して２段目のシャフト１１ｂを締め付けることにより両シャフト１１ａと１１ｂ間のガタを抑えるようにしている。
【００１３】
またこの携帯用歩行補助杖１１においては、グリップ１２が取り付けられる１段目のシャフト１１ａの上端部２１が細径に絞って形成されており、これによってグリップ１２を握り易い構造としてある。即ち、グリップ１２を握るときには、例えば人差し指と中指でシャフト１１ａの上端部２１を挟む状態でグリップ１２を握るので、シャフト１１ａの上端部２１が細径に形成されていると違和感なく握ることができる。
またこのシャフト１１ａの細径の上端部２１には、リング部材２２を介してストラップ２３が取り付けられている。
【００１４】
さらにこの携帯用歩行補助杖１１の最下段の５段目のシャフト１１ｅは、石突部材１３が取り付けられる下端部に向かって緩やかに径が細くなるスエージング形状に形成されており、デザイン的に美しい外観性を持たせてある。
【００１５】
そしてこの携帯用歩行補助杖１１は、不使用時には１段目と２段目のシャフト１１ａと１１ｂを短縮すると共に、２段目以降のシャフト１１ｂ，１１ｃ，１１ｄ，１１ｅを分割してコンパクトに折り畳み、これをハンドバッグ等に入れて手軽に持ち運べるようになっている。そして使用時には、再びシャフト１１ｂ，１１ｃ，１１ｄ，１１ｅを連結することにより、これを１本の杖として使用することができるものである。
この携帯用歩行補助杖１１の内部には、各段のシャフトの内空部を貫通して弾性紐材が内挿されており、これによって２段目以降のシャフトが連結される構造となっている。
【００１６】
この携帯用歩行補助杖におけるシャフトの連結部の構造を図２に示す。
尚、ここでは連結部の一例として、２段目のシャフト１１ｂと３段目のシャフト１１ｃの連結部を図示してあるが、３段目のシャフト１１ｃと４段目のシャフト１１ｄの連結部及び４段目のシャフト１１ｄと５段目のシャフト１１ｅの連結部もこれと同様に構成されるものである。
【００１７】
この構造では、テーパー状の連結凸部１４とこれを受ける連結凹部１５との嵌合によってシャフトの連結が行なわれる。即ちこの例では、３段目のシャフト１１ｃの端部から突出されたテーパー状の連結凸部１４を、２段目のシャフト１１ｂの端部に設けられた逆テーパー形状の連結凹部１５に挿入嵌合して連結する。
【００１８】
ここで連結凸部１４と連結凹部１５の嵌合状態の保持は、杖内部に配される弾性紐材１６の力によって行なわれる。即ちこの携帯用歩行補助杖１１では、各段のシャフトの内空部を貫通して弾性紐材１６が内挿されており、この弾性紐材１６の一端は２段目のシャフトの１１ｂの内部に係止され、他端は５段目のシャフト１１ｅの内部に係止されている。
そしてシャフトの連結時には、この弾性紐材１６の引張力によって連結凸部１４と連結凹部１５が互いに密着するように嵌合し、その嵌合状態が確実に維持されるものである。
尚、この弾性紐材１６は交換できるアンカー方式となっている。
【００１９】
このシャフト連結部において特に本発明では、連結凸部１４と連結凹部１５が嵌合した状態で、シャフト１１ｂと１１ｃの間に所要の隙間ａを有する構造としてある。この隙間ａの寸法は、例えば０．５〜１ｍｍ程度とする。
このようにシャフト間に隙間ａを設けたことにより本発明の携帯用歩行補助杖１１では、連結凸部１４と連結凹部１５の間に加工精度の誤差等があっても連結凸部１４と連結凹部１５は常に確実に嵌合し、その結果、シャフト連結部にはガタが生じることはない。
【００２０】
またこのシャフト連結部において連結凸部１４は、その先端部１４ａと根元部１４ｂの間の中間部分が一段引込んだ凹段部１４ｃとなされている。このような形状としたことにより連結凸部１４は、その先端部１４ａと根元部１４ｂのみにおいて連結凹部１５と接して嵌合し、即ち連結凸部１４と連結凹部１５は少ない接触面積で確実に嵌合されるので、ガタの発生をより確実に抑えることができる。
【００２１】
さらにこの携帯用歩行補助杖１１では、シャフト１１ｂと１１ｃの連結部の互いに向き合う端縁２４に、Ｒを付した構造としてある。このようなＲを付したことにより、シャフト１１ｂと１１ｃを連結するときにシャフト間に指先が挟まるおそれを回避できる。即ち、シャフトを連結するときにシャフト間に指先が挟まる状態となっても、シャフトの端縁２４にＲが付されていることにより、このＲに沿って指先がはじき出される状態となるので、結果的に指先を挟むことはない。
またこのＲに代えて面取りを施した形状としても、同様の効果を得ることができる。
【００２２】
以上、本発明の実施例について説明したが、本発明はこの実施例の構成に限ることなく他にも種々の実施形態を採り得るものであることは勿論である。
【００２３】
【発明の効果】
以上の説明で明らかな如く本発明は、複数段のシャフトを連結して構成され、この各段のシャフトの連結は、テーパー状の凸部とこれを受ける凹部との嵌合によって行われる構造の携帯用歩行補助杖において、凸部と凹部を嵌合した状態で、各段のシャフト間に所要の隙間を有する構造としたことにより、凸部と凹部は常に確実に嵌合し、シャフト連結部にはガタが生じることはないので、使い心地のよい高品質の携帯用歩行補助杖を提供することができる。
さらに本発明の携帯用歩行補助杖では、各段のシャフトの連結部の向き合う端縁にＲまたは面取りを付したことにより、シャフトを連結するときにシャフト間に指先を挟むおそれがなくなるので、安全性の高い携帯用歩行補助杖を提供することができる。
【図面の簡単な説明】
【図１】本発明による携帯用歩行補助杖の全体を示す側面図である。
【図２】本発明による携帯用歩行補助杖におけるシャフトの連結部を示す拡大断面図で、Ａは連結前の状態、Ｂは連結後の状態である。
【図３】従来例の携帯用歩行補助杖の全体を示す側面図である。
【図４】従来例の携帯用歩行補助杖におけるシャフトの連結部を示す拡大断面図で、Ａは連結前の状態、Ｂは連結後の状態である。
【符号の説明】
１１・・・・携帯用歩行補助杖
１１ａ，１１ｂ，１１ｃ，１１ｄ，１１ｅ・・・・シャフト
１４・・・・連結凸部
１５・・・・連結凹部
１６・・・・弾性紐材
ａ・・・・隙間
【図１】
2004024701.tif 000003
【図２】
2004024701.tif 000004
【図３】
2004024701.tif 000005
【図４】
2004024701.tif 000006